(57)【要約】【課題】  任意に組み合わせて使用し、自動車の車体や窓などに、所望の表情ある顔を描くことができる転写シートセットに関する。【解決手段】  離型シート上に、着色フィルムからなる線状の柄２が第一粘着剤層３を介して積層されており、その表面に、透視性ある担体シート４が、第二粘着剤層５を介し積層されている積層体６からなり、離型シート１を剥離し、前記第一粘着剤層３を備えた状態で前記柄２を担持する透視性ある担体シート４の前記第一粘着剤層３を、被転写体に貼着し、担体シートを第二粘着剤層と共に剥離して、前記柄を被転写体に転写する転写シートのセットであって、前記柄として、哺乳類の顔の輪郭を表す柄２ａを備えた転写シート、哺乳類の目を表す柄２ｂを備えた転写シート、前記哺乳類の鼻を表す柄２ｃを備えた転写シート、前記哺乳類の口を表す柄２ｄを備えた転写シートをそれぞれ複数種ずつ組み合わせてなる転写シートセットとした。【選択図】図１
0003106984.tif 000002
【実用新案登録請求の範囲】
【請求項１】
離型シート上に、着色フィルムからなる線状の柄が第一粘着剤層を介して積層されており、その表面に、透視性ある担体シートが、第二粘着剤層を介し積層されている積層体からなり、離型シートを剥離し、前記第一粘着剤層を備えた状態で前記柄を担持する透視性ある担体シートの前記第一粘着剤層を、被転写体に貼着し、担体シートを第二粘着剤層と共に剥離して、前記柄を被転写体に転写する転写シートのセットであって、前記柄として、哺乳類の顔の輪郭を表す柄を備えた転写シート、哺乳類の目を表す柄を備えた転写シート、前記哺乳類の鼻を表す柄を備えた転写シート、前記哺乳類の口を表す柄を備えた転写シートをそれぞれ複数種ずつ組み合わせてなることを特徴とする転写シートセット。
【請求項２】
前記目を表す柄が複数種、一枚の転写シート上に対をなして設けられており、前記担体シートと共に個々の柄を離型シートから剥離可能な状態で設けられていることを特徴とする請求項１の転写シートセット。
【請求項３】
前記鼻を表す柄が複数種、一枚の転写シート上に、それぞれ前記担体シートと共に、個々の柄を転写シートから剥離可能な状態で設けられており、かつ前記口を表す柄も複数種、一枚の転写シート上に、それぞれ前記担体シートと共に個々に転写シートから剥離可能な状態で設けられていることを特徴とする請求項１又は２の転写シートセット。
【請求項４】
前記顔の輪郭を表す柄が頭部も備えているものであることを特徴とする請求項１〜３いずれか１項の転写シートセット。
【請求項５】
前記第一粘着剤層が、不連続な形状に設けられていることを特徴とする請求項１〜４いずれか１項の転写シートセット。
【請求項６】
前記哺乳類が人、猿、犬及び猫からなる群から選ばれるものであることを特徴とする請求項１〜５いずれか１項の転写シートセット。
【考案の詳細な説明】
【技術分野】
【０００１】
本考案は、自動車の車体や窓などに、任意に所望の顔を描くことができる転写シートセットに関する。
【背景技術】
【０００２】
自動車の車体や窓などに、模様を表すための転写シートは種々知られるが、いずれも完成された模様を転写するだけで、使用者が自分の意図で、模様を組み立てて使用できるものではなかった。
【考案の開示】
【考案が解決しようとする課題】
【０００３】
本考案は、使用者が任意に組み合わせて使用し、被転写体上に表情豊かな所望の顔を描くことができる転写シートセットを提供することを課題とする。
【課題を解決するための手段】
【０００４】
本考案の転写シートセットは、離型シート上に、着色フィルムからなる線状の柄が第一粘着剤層を介して積層されており、その表面に、透視性ある担体シートが、第二粘着剤層を介し積層されている積層体からなり、離型シートを剥離し、前記第一粘着剤層を備えた状態で前記柄を担持する透視性ある担体シートの前記第一粘着剤層を、被転写体に貼着し、担体シートを第二粘着剤層と共に剥離して、前記柄を被転写体に転写する転写シートのセットであり、前記柄として、哺乳類の顔の輪郭を表す柄を備えた転写シート、哺乳類の目を表す柄を備えた転写シート、哺乳類の鼻を表す柄を備えた転写シート、哺乳類の口を表す柄を備えた転写シートをそれぞれ複数種ずつ組み合わせてなるものであることを特徴とする。
【０００５】
一枚の転写シート上に、目を表す柄を複数種、対をなして設け、それらが個々に、担体シート共に離型シートから剥離可能な状態とするのが好ましく、また、鼻を表す柄や口を表す柄も、それぞれ複数種、一枚の転写シート上に、それぞれ担体シートと共に、分離して、個々に転写シートから剥離可能な状態で設けられるが好ましい。
【０００６】
なお、顔の輪郭を表す柄は、頭部を表す柄と別に形成されてもよいが、通常、頭部を表す柄と一体に形成されるのがよい。
【０００７】
粘着剤層に使用される樹脂の種類は特に限定されるものではなく、通常の転写シートに使用されるものがいずれも使用可能であり、一般に連続皮膜状に形成されてよいが、被転写体に接合される第一粘着剤層は、ドット状、格子状、線又は波状など、不連続な形状に形成されてもよい。この場合、転写時に着色フィルムからなる柄と被転写体の間の空気が抜けやすく、転写柄に皺が生じることなく、品質のよい転写柄の形成が可能となる。
【０００８】
なお、本考案で使用する離型シートは、表面に離型性あるシート類であればよく、離型剤で表面処理した離型紙や離型性フィルムなどが何れもしようできる。また、担体シートは、該シートを通して、その下の柄が見えるものであればよく、透明であっても半透明であってもよい。プラスチックフィルム、薄紙、樹脂含浸紙などがいずれも使用できる。
【０００９】
本考案における転写するための柄は、哺乳類の顔に関するものであり、人、猿、犬、猫、熊、ウサギ、牛、馬等、どのような哺乳類のものであってもよいが、表情豊かな人、猿、犬及び猫の顔に関するものが好ましく、特に幼児から老人まで、また男女で表情が大きく異なり、喜怒哀楽も顕著に顔にあらわれる人を対象とするのがよい。
【考案の効果】
【００１０】
本考案の転写シートセットは、顔の輪郭を表す柄を有する転写シートと、異なる形状の口や鼻、目などの柄を複数個有する転写シートをセットとして備えているため、使用者が所望に応じて、顔の輪郭を表す柄を被転写体に転写し、その後、口や目、鼻の柄を適当に選んで、所望の位置に転写することにより、使用者が望む顔を被転写体に表すことが容易に可能となる。
この場合、柄がいずれも着色シートからなる線状に描かれたものであるため、違和感なく、落ち着いた顔を被転写体に描くことができる。また、この際、担体シートは透視性あるものであり、転写する柄を透視した状態で、被転写体の所望位置に、柄を置くことができ、即ち先に転写した顔の輪郭を表す柄や、目を表す柄の位置に合わせて、口を表す柄や鼻を表す柄を選んで転写できるのである。
従って、使用者が転写シートを適当に組み合わせて使用することによって、自分の子供の顔や友人の顔などを、自動車の車体などに転写法で容易に描くことが可能となる。
【考案を実施するための最良の形態】
【００１１】
本考案の一例を図面に従って説明する。
本考案の転写シートはいずれも、図１Ａに示すように、離型シート１上に、着色フィルムからなる線状の柄２が第一粘着剤層３を介して積層されており、その表面に、透視性ある担体シート４が、第二粘着剤層５を介し積層されている積層体６からなるものである。
本考案では、例えば、図２〜５に示すような転写シートをセットとして使用するものであり、図２のＡ及びＢの転写シートは、柄２として、顔の輪郭と頭部をあらわした柄２ａを有するものであり、図３のＡ及びＢはそれぞれ５対の目の柄２ｂを有する転写シートであり、図４のＡ及びＢはそれぞれ８種の鼻の柄２ｃを有する転写シートであり、図５のＡ及びＢはぞれぞれ５種の口の柄２ｄを有する転写シートである。
【００１２】
使用者は、例えば図２Ａの転写シートを選び、離型シート１を剥離し、第一粘着剤層３を備えた柄２ａを被転写体７に置き、押圧した後、担体シート４を第二粘着剤層５と共に除去し、被転写体７上に顔の輪郭を表す線状の柄２ａを転写し、その後、図３Ａの転写シートからその最上欄の目の柄２ｂを含む部分を裁断し、それぞれの目を、転写した柄２ａの上で適当に位置決めし、先の転写シートと同様、柄２ｂを被転写体７の適当な位置に転写する。更に、図４Ｂの転写シートから右二段目の鼻の柄２ｃを含む部分を裁断し、前記同様、被転写体７の所望位置に転写し、また図５Ａの転写シートからは最上段の口の柄２ｄを含む部分を裁断し、適当に位置決めして、前記同様、被転写体７に柄２ｄを転写する。
その結果、図１Ｂのような顔を被転写体７に表すことができるのである。
【００１３】
このような転写は、透視性ある担体シート４を通して柄を見ながら実施できるため、種々の柄(顔の輪郭、口、目、鼻など）を組み合わせて、表情豊かな顔を被転写体上に容易に表すことができる。また、柄がいずれも着色フィルムからなる線状のものであるため、柄が重なり合っても、違和感なく、全体にバランスよく所望の顔を描くことができ、しかも転写柄が耐久性あるものとなる。そのため、自動車の車体や窓などに顔を描くのに非常に有利である。
【図面の簡単な説明】
【００１４】
【図１】図１は本考案の一例を示すもので、Ａは転写シートの要部拡大断面図、Ｂは本考案を利用して得た製品の平面図である。
【図２】図２は本考案で使用する転写シートの例を示す平面図である。
【図３】図３は本考案で使用する転写シートの例を示す平面図である。
【図４】図４は本考案で使用する転写シートの例を示す平面図である。
【図５】図５は本考案で使用する転写シートの例を示す平面図である。
【符号の説明】
【００１５】
１    離型シート
２    柄
３    第一粘着剤層
４    担体シート
５    第二粘着剤層
６    積層体
７    被転写体
【図１】
0003106984.tif 000003
【図２】
0003106984.tif 000004
【図３】
0003106984.tif 000005
【図４】
0003106984.tif 000006
【図５】
0003106984.tif 000007